(57)【特許請求の範囲】
【請求項１】
天井等に固定され、その両端に保持部を配設する吊下装置本体の該保持部に、二本のハンガーからなる脚部の各一対となる脚部の上端に設けられた、該保持部の面上に対して平行に、且つ互いに逆方向に折曲して形成する取付体を取り付けてなるものであって、
各ハンガーの脚部下端の取付体はグローブと一体となる照明器具本体の上面の係止金具に固定し、又、
ハンガーの各脚部上端は吊下装置本体の各保持部の左右に適宜間隔をおいて上方へ折曲して形成される各壁面の切り欠き部内に掛止して、
ハンガーの脚部上端に設けた前記取付体を保持部の面上に載置しつつ固定してなる照明器具の吊下装置。
【請求項２】
天井等に固定され、その両端に保持部を配設する吊下装置本体の該保持部に、二本のハンガーからなる脚部の各一対となる脚部の上端を結ぶ直線状の取付体を取り付けてなるものであって、
各ハンガーの脚部下端の取付体はグロ−ブと一体となる照明器具本体の上面に固定し、又、
ハンガーの脚部上端に設けた前記取付体は、吊下装置本体の保持部に掛止すると共に、該保持部の両側に形成される案内部内に上方に向け弾性をもって押勢する板バネを内装し、更に該案内部内において該板バネの上方に、該板バネの弾性に抗しつつ摺動自在となるスライドプレートを嵌挿した上で、カバーを一体に該スライドプレートに装着して、前記取付体を該保持部に保持してなる照明器具の吊下装置。
【請求項３】
天井等に固定され、その両端に断面Ｕ字形状の保持溝を一体に形成する吊下装置本体の該保持溝に、二本のハンガーからなる脚部の各一対となる脚部の上端を結ぶ直線状の取付体をそれぞれ取り付けてなるものであって、
各ハンガーの脚部下端の取付体は、グローブと一体となる照明器具本体の上面に固定し、又、
ハンガーの脚部上端に設けた前記取付体は、該各保持溝内に嵌合、掛止すると共に、各保持溝の一部に該保持溝と直交する方向に突出して形成する押え板及び、この押え板の左右に該保持溝と同方向に形成される切り欠き部において、弾性をもって拡開自在となるロックバネを、吊下装置本体の二本の保持溝に対して直交して配置して、該ロックバネの中央部を一方の押え板に掛止しつつ、各保持溝において同方向に形成される他方の押え板の左右の切り欠き部に拡開させながら掛止することにより、前記保持溝内に嵌合、掛止した取付体の上方において、該ロックバネを取付体に対して直交方向に重合して該取付体を前記保持溝に保持してなる照明器具の吊下装置。
【発明の詳細な説明】
【０００１】
【発明の属する技術分野】
この発明は、天井等より吊り下げる照明器具を保持する吊下装置の構造に関する。
【０００２】
【従来の技術】
従来、天井等において配置される照明器具は、グローブを装着する照明器具本体と一体となったコードを直接天井等のコンセントに挿嵌して、このコンセント又はコードの保持強度により照明器具を吊り下げるものが一般的である。
【０００３】
【発明が解決しようとする課題】
しかしながら、上記従来のものの場合、コンセントに対してセードも含めた照明器具全体の重量が直接かかるものであるから、吊り下げることができる照明器具はコンセント又はコードの保持強度によって大きく左右されるものとなり、従って重量の重い大きな照明器具を吊り下げることは構造上できないものであると共に、照明器具を吊り下げるにあたってもコードによってのみ行われるものであることから、照明器具の重量バランスを考慮しないと照明器具自体が左右いずれかに傾いたままの状態で吊り下げられることとなって、照明器具としての機能性及び外観性の低下を招いてしまう欠点がある。
【０００４】
更に、照明器具はコード一本によって吊り下げられるものであるから、照明器具を取り付けた後に、照明器具自体の重量バランスの不均等によってコードを中心として回転することがあり、照明器具のコードの低下、更に切断などの故障を招くおそれがあると共に、地震等によって照明器具が激しく揺動したときには、一本のコードによって照明器具が吊り下げられているため大きく前後左右に揺動することとなって、照明器具の破損や、最悪の場合には照明器具のコードがコンセントから離脱してしまって照明器具の脱落、ひいては使用者へ負傷を与ええてしまうという危険性を有しているものである。
【０００５】
そこで、この発明は上記従来の問題を改善するものであり、天井等から照明器具を、その重量にかかわりなく、簡易且つ強固に吊り下げると共に地震等による揺動による照明器具の破損を防止することができるようにするものである。
【０００６】
【課題を解決するための手段】
そのために、天井等に直接固定される吊下装置本体と、この吊下装置本体に両端に一体に配設、形成される保持部或は保持溝にグローブと一体となる照明器具本体に固定される取付体を有する二本のハンガーを掛止し、或は掛止した上で、スライドプレート或はロックバネにより固持することによって照明器具を保持してなるものである。
【０００７】
【発明の実施の形態】
この発明を実施するにあたって、グローブを装着する照明器具本体は、ハンガーの下端の取付体に一体に固定すると共に、照明器具本体とその取付体を介して固定されるハンガーを、天井等に直接固定される吊下装置本体の両端に一体に配設、形成される保持部或は保持溝に掛止することによって照明器具を吊下するため、照明器具の重量はコンセントではなく天井等に直接固定される吊下装置本体にかかるものとなり、コンセントによる保持強度に関わりなく、重量の重い照明器具を確実に天井等から吊下することができる上、コードの切断等の故障の原因を排除することができる。
【０００８】
更に、グローブを装着する照明器具本体は、その取付体を照明器具本体に固定する二本のハンガーからなる脚部の各一対となる脚部の上端に設けられた、該保持部の面上に対して平行に、且つ互いに逆方向に折曲して形成する取付体により、吊下装置本体に掛止され、或は二本のハンガーを掛止した上で、スライドプレート或はロックバネにより固持することによって保持するので、照明器具を吊下するにあたり、照明器具本体に固定する取付体の位置決めが正確になされているならば、照明器具の重量バランスが崩れて水平状態ではなく傾斜した状態で照明器具の吊下装置本体から吊下されることを防止することができる。そして、地震等により照明器具が激しく揺動することとなっても、照明器具は二本のハンガーによって、吊下装置本体に吊下されているため、照明器具の特に前後方向の揺動の振幅はハンガーによって規制され、またハンガーの脚部上端に設けた、保持部の面上に対して平行に折曲して形成する取付体が、保持部の面上に載置されつつ固定されるよう、ハンガーの各脚部上端が保持部の各切り欠き部に掛止されるため、左右方向の揺動を規制し更にはハンガーの弾性と、該ハンガーの係合による吊下装置本体と照明器具を吊下するハンガーの取付体との摩擦により振幅は減衰して、他所への衝突や落下による破損あるいは部屋内における器具のねじれを防止することができるものとなる。
【０００９】
【実施例】
この発明を図に示す実施例により更に説明する。（１）は、この発明の第１実施例である照明器具の吊下装置であり、この照明器具の吊下装置（１）は、天井等にネジ穴（１２）を介してネジにより一体に固定され、その両端に保持部（３）を配設する吊下装置本体（２）と、二本のハンガー（６）から構成される。ここで該ハンガー（６）は、この吊下装置本体（２）の両端に配設される保持部（３）において、その台形状として一対となる脚部（７）の上端に、該保持部（３）の面上に対して平行に、且つ互いに逆方向に折曲して形成する取付体（８）が設けられており、脚部（７）上端を壁面（４）の切り欠き部（５）に掛止することにより、該取付体（８）を保持部（３）の面上に載置する。他方、グローブ（１０）を装着する照明器具本体（１１）に係止金具（２０）と共に脚部（７）の下端の取付体（８’）を固定するものである。図１において、（２２）は照明器具に連結するコードであって、コード（２２）の端部には天井等のコンセントに接続するソケット（２３）を設ける。
【００１０】
そして、この吊下装置本体（２）の両端に配設される保持部（３）において、上記照明器具（９）の照明器具本体（１１）にハンガー（６）を吊下するにあたって、この吊下装置本体（２）の保持部（３）の左右に適宜間隔をおいて折曲、形成される壁面（４）に設ける切り欠き部（５）に、ハンガー（６）の脚部（７）上端を掛止することによって、保持部（３）の面上に対して平行に折曲して形成される取付体（８）を保持部（３）の面上に固定させてなるものである。（８’）はハンガー（６）の下端の取付体を示す。
【００１１】
この発明の第１実施例である照明器具の吊下装置（１）は以上の構成を具えるので、照明器具（９）を構成し、グロ−ブ（１０）を装着する照明器具本体（１１）は、台形状とするハンガー（６）の下端の取付体（８’）に一体に固定されると共に、ハンガー（６）の上端に形成する取付体（８）を介してハンガー（６）が、天井等にネジ（１２）によって直接固定される吊下装置本体（２）の両端の保持部（３）に折曲、形成される壁面（４）の切り欠き部（５）内に掛止、保持されることによって、吊下されるため、照明器具（９）の重量は、照明器具本体（１１）より導出されるコードが接続するコンセントではなく、天井等にネジ（１２）によって直接固定される照明器具の吊下装置（１）を構成する吊下装置本体（２）にかかるものとなり、コンセントによる保持強度に関わりなく、重量の重い照明器具（９）を確実に天井等から吊下することができる上、この照明器具（９）の重量に起因するコードの切断等の故障の原因を排除することができる。また、２本のハンガー（６）により前後方向を、保持部（３）の切り欠き部（５）による掛止により左右方向の器具のバランスをとることができ、安定した吊下げを実現できる。なお、ハンガー（６）を特に台形状に形成する意味はなく、単に安定感をもつにすぎない。
【００１２】
更に、照明器具（９）を構成しグローブ（１０）が装着される照明器具本体（１１）は、その上面の取付体（８’）を照明器具本体（１１）に固定する二本の台形状のハンガー（６）を介して吊下装置本体（２）に掛止、保持するものであるので、照明器具（９）を吊下するにあたり、照明器具本体（１１）に固定する取付体（８’）の位置決めが正確になされているならば、照明器具（９）の重量バランスが崩れて傾斜した状態で照明器具（９）が吊下装置本体（２）から吊下されることを防止することができる。そして、地震等により照明器具（９）が激しく揺動することとなっても、照明器具（９）は、二本のハンガー（６）の各一対となる脚部（７）のそれぞれ上端に設けられた、該保持部（３）の面上に対して平行に、且つ、互いに逆方向に折曲して形成する取付体（８）を、保持部（３）の面上に載置しつつ、保持部（３）の切り欠き部（５）への掛止によって、この照明器具の吊下装置（１）を構成する吊下装置本体（２）に吊下されているため、照明器具（９）の揺動の振幅はハンガー（６）によって一定の幅に規制されつつ、この吊下装置本体（２）と照明器具（９）を吊下するハンガー（６）との摩擦、特に該ハンガー（６）の取付体（８）と、該取付体（８）を載置する保持部（３）の面上との摩擦により、次第に照明器具（９）の振幅は減衰されるものとなるので、照明器具（９）の他所への衝突や落下による破損を防止することができるものとなる。
【００１３】
又、図３及び図４において示すものは、この発明の第２実施例である照明器具の吊下装置（１’）であり、この発明の第２実施例である照明器具の吊下装置（１’）は、第１実施例の照明器具の吊下装置（１）と同様に、天井等にネジ穴（１２）を介してネジにより一体に固定され、その両端に保持部（３’）を配設する吊下装置本体（２’）と、この吊下装置本体（２’）の両端に配設される保持部（３’）において保持される、その台形状とした各一対の脚部（７）の上端を直線状に結ぶ取付体（８）を有する二本のハンガー（６）から構成されるものである。
【００１４】
そして、この吊下装置本体（２’）の両端に配設される保持部（３’）において、照明器具本体（１１）の上面にその下端の取付体（８’）を固定するハンガー（６）を吊下するにあたって、このハンガー（６）を吊下装置本体（２’）の両端に配設する保持部（３’）の根元部に各ハンガー（６）の一対となる脚部（７）の上端を直線状に結ぶ取付体（８）を掛止すると共に、保持部（３’）の両側上部に断面コ字状に折曲、形成される案内部（１３）内に、上方に向けて弾性を持って押勢する板バネ（１４）を内装し、ついで該案内部（１３）内において該板バネ（１４）の上方に、該バネ（１４）の弾性に抗しつつ摺動自在となるスライドプレート（１５）を嵌挿した上で、カバー（２７）を一体に該スライドプレート（１５）に装着して、保持部（３’）に掛止するハンガー（６）の取付体（８）を固持してなるものである。
【００１５】
この発明の第２実施例である照明器具の吊下装置（１’）は以上の構成を具えるので、この発明の第１実施例である照明器具の吊下装置（１）と同様に、照明器具（９）の重量は、照明器具本体（１１）より導出されるコードが接続するコンセントではなく、天井等にネジ穴（１２）を介してネジによって直接固定される照明器具の吊下装置（１’）を構成する吊下装置本体（２’）にかかるものとなり、コンセントによる保持強度に関わりなく、重量の重い照明器具（９）を確実に天井等から吊下することができると共に、この照明器具（９）の重量に起因するコードの切断等の故障の原因を排除することができるものである上、ハンガー（６）の脚部（７）の先端の取付体（８’）の取付位置を正確にすれば、照明器具（９）の重量バランスを容易に採ることができて、重量バランスが崩れて傾斜した状態で照明器具（９）が吊下装置本体（２’）から吊下されてしまうことを防止する。更に地震等により照明器具（９）が激しく揺動することとなっても、照明器具（９）は二本のハンガー（６）によって、この照明器具の吊下装置（１）を構成する吊下装置本体（２’）に吊下される上、このハンガー（６）はハンガー（６）を吊下する吊下装置本体（２’）の保持部（３’）の案内部（１３）内に内装する板バネ（１４）の弾性を持って保持されるスライドプレート（１５）により強力に押勢、固持されているため、照明器具（９）の揺動の振幅はハンガー（６）によって一定の幅に規制されつつ、この吊下装置本体（２’）と照明器具（９）を吊下するハンガー（６）の弾性と掛止により、次第に照明器具（９）の振幅は減衰されて、照明器具（９）の他所への衝突、或は照明器具（９）を吊下するハンガー（６）の吊下装置本体（２’）から離脱により発生する照明器具の落下による破損を防止することができるものとなる。
【００１６】
また、図５及び図６に示すものは、この発明の第３実施例である照明器具の吊下装置（１”）であり、この照明器具の吊下装置（１”）は、天井等にネジ穴（１２）を介してネジにより一体に固定され、その両端において断面Ｕ字形状の保持溝（１６）を一体に形成する吊下装置本体（２”）と、この吊下装置本体（２”）の両端において一体に形成される断面Ｕ字状の保持溝（１６）において保持され、その台形状とした各一対の脚部（７）の上端を直線状に結ぶ取付体（８）を有する二本のハンガー（６）から構成されるものである。
【００１７】
そして、この吊下装置本体（２”）の両端に一体に形成される保持溝（１６）内において、照明器具本体（１１）にその先端の取付体（８’）を固定するハンガー（６）を吊下するにあたって、このハンガー（６）の取付体（８）を断面Ｕ字状とする保持溝（１６）内に嵌合して掛止すると共に、この保持溝（１６）の壁面の一部を折曲又は切除して該保持溝（１６）と直交する方向に突出して形成する押え板（１７）及び、この押え板（１７）の左右に該保持溝（１６）と同方向に形成される切り欠き部（１８）において、弾性をもって拡開自在となるロックバネ（１９）を、該二本の保持溝（１６）に対して直交するように配置して、該ロックバネ（１９）の中央部を上記一方の押え板（１７）に掛止しつつ、他方の押え板（１７）の左右の切り欠き部（１８）に掛止することによって、前記保持溝（１６）内に嵌合、掛止した取付体（８）の上方において、その掛止されたロックバネ（１６）が取付体（８）に対して直交方向に重合することから、該取付体（８）ひいてはハンガー（６）を保持溝（１６）内に保持してなるものである。
【００１８】
この発明の第３実施例である照明器具の吊下装置（１”）は以上の構成を具えるので、この発明の第１実施例及び第２実施例である照明器具の吊下装置（１）（１’）と同様に、照明器具（９）は、天井等にネジ（１２）により直接固定される吊下装置本体（２”）と、この吊下装置本体（２”）の保持溝（１６）に掛止、保持される、照明器具本体（１１）にその脚部（７）先端の取付体（８’）を固定する２本のハンガー（６）により吊下されるため、重量の重い照明器具（９）を確実に特に前後方向にバランスをもって吊下することができると共に、この照明器具（９）の重量に起因するコードの切断等の故障を確実に排除することができる。その上、更に２本のハンガー（６）により吊下される照明器具（９）はバランスが採り易いものであるため、傾斜した状態での照明器具（９）の吊下を防止でき、また照明器具（９）を吊下するハンガー（６）は、吊下装置本体（２”）の両端に一体に形成される保持溝（１６）内に掛止した上で、ロックバネ（１９）により固持しているため、地震等により照明器具（９）が激しく揺動しても上記ハンガー（６）が吊下装置本体（２”）の保持溝（１６）から離脱してしまったり、また照明器具の揺動による著しく大きくなって他所へ衝突することでの破損を確実に防ぐことができるものである。
【００１９】
この発明の照明器具の吊下装置（１）は、また照明器具の一部として用いることができる。その応用例を図７に示す。図７において、（１）として示すものはこの発明の照明器具の吊下装置であり、その掛止金具（２０）の下面に照明器具本体（１１）を取り付ける代わりに、光線を透過できるパネル（２４）を取り付け、吊下装置本体（２）を直接天井（２６）に固定する。ランプ（２５）を天井（２６）面に取り付ける型式の照明器具にあっては、この吊下装置（１）を取り付けることにより、充分に照明器具として用いることができ、パネル（２４）も脚部（７）により揺動に対し対応できるから、落下破損等のおそれもないものである。必要であれば、側面も適宜パネル板を取り付け、照明量を調整できることはいうまでもない。
【００２０】
【発明の効果】
以上のとおり、この発明は構成されるから、重量の重い照明器具の吊下を可能とすると共に、照明器具の重量に起因するコードの切断等の故障の原因を排除できる上、照明器具の吊下にあたって安定した状態での吊下を実現すると共に、地震等の揺動により照明器具が破損又は落下することを防いで安全性を確実に向上させることができる優れた効果を有するものである。
【図面の簡単な説明】
【図１】  この発明の第１実施例である照明器具の吊下装置の照明器具への取付状態での全体斜視図である。
【図２】  この発明の第１実施例である照明器具の吊下装置の全体斜視図である。
【図３】  この発明の第２実施例である照明器具の吊下装置の斜視図である。
【図４】  この発明の第２実施例である照明器具の吊下装置の部分分解斜視図である。
【図５】  この発明の第３実施例である照明器具の吊下装置の斜視図である。
【図６】  この発明の第３実施例である照明器具の吊下装置の部分分解斜視図である。
【図７】  この発明の照明器具の吊下装置を用いる応用例を示すものである。
【符号の説明】
１、１’、１”  照明器具の吊下装置
２、２’、２”  吊下装置本体
３、３’  保持部
４  壁面
５  切り欠き部
６  ハンガー
７  脚部
８  ８’取付体
９  照明器具
１０  グローブ
１１  照明器具本体
１２  ネジ穴
１３  案内部
１４  板バネ
１５  スライドプレート
１６  保持溝
１７  押え板
１８  切り欠き部
１９  ロックバネ
２０  係止金具
２１  保持プレート
２２  コード
２３  ソケット
２４  パネル
２５  ランプ
２６  天井
２７ カバー
【図１】
0003749962.tif 000002
【図２】
0003749962.tif 000003
【図３】
0003749962.tif 000004
【図４】
0003749962.tif 000005
【図５】
0003749962.tif 000006
【図６】
0003749962.tif 000007
【図７】
0003749962.tif 000008